(57)【特許請求の範囲】
【請求項１】
パラペットのコーナー用ベースアンカーであって、
前記パラペットの上面に固着される両側の底板と、各底板から起立する楔形の側板と、両側板の上端部間を連続し、上面に勾配を有する２つの笠木部材を接合してなるコーナー笠木を固着するための支持壁とを一体に有し、
前記側板の楔形の勾配は、前記笠木部材の勾配と合致させてあり、
前記支持壁は、幅方向中央において交差して谷を形成する２つの傾斜面を有し、前記コーナー笠木の前記接合部の下面に突出する稜線を前記谷に合致させ、かつ前記コーナー笠木の下面を前記２つの傾斜面で支持するものであることを特徴とするパラペットのコーナー用ベースアンカー。
【請求項２】
前記支持壁は、幅方向中央において交差して直線状の谷を形成する２つの傾斜面を有し、前記上面壁に、勾配を有する笠木部材の４５度切断面を接合してなるコーナー笠木の前記４５度切断面接合部の下面に突出する稜線を前記谷に合致させた状態で、前記コーナー笠木の前記稜線に連なる下面を前記２つの傾斜面で支持するものであることを特徴とする請求項１に記載のパラペットのコーナー用ベースアンカー。
【請求項３】
パラペットの上面に固着される両側の底板と、各底板から起立する楔形の側板と、両側板の上端部間を連続し、幅方向中央において交差して直線状の谷を形成する２つの傾斜面を有する支持壁とを一体に有して、パラペットのコーナー部の上面に固着されるコーナー用ベースアンカーと、
２つの笠木部材の４５度切断面同士を接合してＬ形に形成され、その４５度切断面接合部を前記パラペットのコーナー部の上面に固着された前記コーナー用ベースアンカーの支持壁に載せて支持されるコーナー笠木と、
前記コーナー笠木の４５度切断面接合部の上側に重ねられ、前記コーナー笠木の上面のテーパーを補正して水平な上面を提供するライナーと、
そのライナーの上面に載せて、前記ライナー及びコーナー笠木を貫通して前記コーナー用ベースアンカーにねじ込まれるねじにより固着され、前記パラペットに設置されるフェンスのコーナー柱を接続するブラケットとからなり、
前記コーナー用ベースアンカーの側板の楔形の勾配は前記笠木部材の上面の勾配と合致させてあり、前記支持壁は、前記コーナー笠木の前記４５度切断面接合部の下面に突出する稜線を前記谷に合致させ、かつ前記コーナー笠木の前記稜線に連なる下面を前記２つの傾斜面で支持することを特徴とするパラペットのコーナー部における柱取付装置。
【発明の詳細な説明】
【技術分野】
【０００１】
本発明は、パラペットのコーナー部において笠木、又は笠木とパラペットに立設されるフェンスのコーナー柱を固定するためのベースアンカー及び前記コーナー柱を取り付ける装置に関する。パラペットとは、建物の屋上の端部などに立ち上がった、駆体と一体の低い壁をいう。
【背景技術】
【０００２】
パラペットの上面には笠木が設けられる。笠木は、パラペットのコーナー部の上面に設置されるコーナー笠木と、パラペットの直線部の上面に設置されるストレート笠木とからなる。コーナー笠木は、ストレート笠木と共通の断面形状を有する長尺の笠木部材を短く切断し、その一端を材軸に対して直角に切断し、他端を材軸に対して４５度に切断して形成された同一形状の２部材を、４５度切断面において突き合わせ接合してなり、Ｌ字形の平面形状を有している。
【０００３】
そして、笠木は、パラペットの上面に固着したアンカーを介して固着される。そのアンカーには、パラペットのコーナー部の上面にボルトにより固着され、コーナー笠木の角部を下面から支持するコーナー用ベースアンカーと、パラペットの直線部の上面に固着され、コーナー笠木の端部とこれに隣接するストレート笠木の端部とを下面から支持する連結用ベースアンカーとがある。
【０００４】
図１は、パラペットのコーナー部を中心に示す斜視図である。図１は従来技術と本発明との両方の説明に用いられる。同図において、１はパラペット、２ａはそのパラペットの上面に固定された笠木のうち、パラペット１のコーナー部１ａに設置されたコーナー笠木、２ｂはパラペットのコーナー部以外の直線部１ｂに設置されるストレート笠木である。また、図１において、３はパラペットの笠木の上方に設置されたフェンスの一例である。フェンス３は、基本的には、地上に設置されるフェンスと同様の構造を有しており、パラペットのコーナー部１ａに立設されたコーナー柱３１と、パラペットの直線部１ｂに立設された中間柱３２との間に任意の形状を有する柵体３３を既知の方法により固定し、最後にコーナー柱３１の上端から中間柱３２の上端まで、又は中間柱を越えて延長する手摺又はフェンス用笠木３４を取り付けて構成されている。
【０００５】
図７はパラペットのコーナー部のコーナー笠木に対するコーナー柱の取付構造を示す分解斜視図であり、図８はそのコーナー部１ａに固着される従来のコーナー用ベースアンカーの分解斜視図である。図８に示すように、従来のコーナー用ベースアンカー４は、必要な剛性を有する金属板で形成されたベース板４１と、加工性に優れている金属板で形成された支持金具４２の２部材を一組として構成されていた。ベース板４１は、これをパラペット１の上面の所定の位置に載せて、固着するためのビス等を貫通する孔４１ａが複数個設けられ、両端部付近にボルト４１ｂが立設されている。支持金具４２は、ベース板４１とほぼ同一大の平板部４２ａと、両端部において平行に起立する起立片４２ｂとを有し、平板部４２ａにはベース板４１のボルト４１ｂを貫通させるための孔４２ｃが設けられている。
【０００６】
上記コーナー用ベースアンカー４は、まず、ベース板４１をパラペットのコーナー１ａ部の上面に、孔４１ａに貫通したビス等のねじ（図示省略）をパラペットにねじ込んで所定の位置に固着した後、ベース板４１のボルト４１ｂに高さ調整用ナット４３ａを螺合し、続いて、支持金具４２の孔４２ｃにボルト４１ｂを貫通させるとともに、そのボルト４１ｂに固定用ナット４３ｂを螺合することにより、取り付けられていた。
【０００７】
コーナー笠木２ａを取り付ける前に、パラペット１のストレート部１ｂのコーナー部１ａに近い位置の上面に、連結用ベースアンカー（図示省略）が取り付けられる。連結用ベースアンカーも、従来は、必要な剛性を有する金属板で形成されたベース板（図示省略）と、加工性に優れている金属板で形成された支持金具（図示省略）の２部材を一組として構成されていた。連結用ベースアンカーは、本発明の要部に直接関わるものでないので、説明を簡単にするが、ベース板がこれに貫通したビス等のねじ（図示省略）をパラペットにねじ込んで所定の位置に固着された後、支持金具をベース板の長手方向中央部分を被覆するように嵌合し、両部材に設けた連結片同士をねじ（図示省略）により固着することにより、取り付けられる。
【０００８】
通常、笠木は、コーナー笠木２ａもストレート笠木２ｂも、排水性向上のため、パラペットの外側（建物から遠い側）から内側（建物に近い側）に向けて下がる下り勾配を有している。そのため、コーナー用ベースアンカー４の支持金具４２の起立片４２ｂ、連結用ベースアンカーの支持金具の上面及び中間柱取付用ベースアンカーの支持金具の上面にも、笠木の勾配に沿った勾配が備えてある。
【０００９】
コーナー笠木２ａは、次のようにして、パラペットのコーナー部１ａに固定される。すなわち、コーナー笠木２ａのコーナー部２ａｃをパラペットに固着されたコーナー用ベースアンカー４の支持金具４２に載せるとともに、そのコーナー笠木２ａの端部２ａｅを連結用ベースアンカーの支持金具の上面の半分に載せて、コーナー笠木２ａのパラペットの内外面に沿って垂設されている側縁の下端部を連結用ベースアンカーの支持金具の内外両側に形成されている係止部に係止する。
【００１０】
次に、図７に示すように、コーナー笠木２ａのコーナー部２ａｃの上面に、図示されていない上下２枚のシーラー（水密材）と１枚のライナー（図７）とをサンドイッチ状に重ね合わせ、これらの上側にさらにブラケット（図７）を重ね合わせて、これら全てに設けてある孔を整合させた状態で、ブラケットの上方からねじをそれらの孔及びコーナー笠木２ａのコーナー部２ａｃに形成してある孔に貫通し、コーナー用ベースアンカー４のベース板４１に設けてあるねじ孔４１ｃ（図８参照）にねじ込むことにより、コーナー笠木２ａのコーナー部２ａｃがパラペット１に固定されている。
【００１１】
上記構成により、ブラケット８を固定した時は、ライナー7により、コーナー笠木２ａの上面が内側勾配を有するにも拘わらず、ブラケットは、垂直状態を保って固着される。そして、フェンスのコーナー柱３１は、その下端部の内壁面にブラケットを当接させ、コーナー柱３１の外側からねじＳ１を貫通し、ブラケット８にねじ込むことにより、コーナー柱３１が垂直状態に固定される。
【００１２】
ストレート笠木２ｂは、その長手方向一端を連結用ベースアンカーの支持部材の残りの半分の上面に載せるとともに、他端側を中間柱用ベースアンカーの支持部材の上面に載せて、ねじ止めにより固定される。
【特許文献１】特になし
【発明の開示】
【発明が解決しようとする課題】
【００１３】
上述のように、従来のベースアンカーは、いずれも２部材を１セットとして構成されているため、部品コストが高く付き、パラペットに対する取付手間も多くかかる。また、フェンス３の荷重はコーナー柱３１を介してブラケットに伝わるが、そのブラケットの下側に存在するコーナー笠木２ａは、その２部材のコーナー部２ａｃの一部のみがコーナー用ベースアンカー４の支持金具４２の起立片４２ｂにより支持されているので、コーナー柱３１の取付安定性と支持強度に問題があるため、コーナー柱３１の取付安定性の向上と支持強度の増大が望まれていた。
【００１４】
本発明は、上記従来技術の問題点を解消すること、すなわち、コーナー用ベースアンカーの部品コストの削減、パラペットに対する取付手間の軽減を図るとともにコーナー柱のパラペットに対する取付安定性を高くすることができるコーナー用ベースアンカーを提供すること、及びパラペットのフェンスのコーナー柱の支持強度を高めることができる柱取り付け装置を提供することを目的とする。
【課題を解決するための手段】
【００１５】
上記目的を達成するため、本発明に係るパラペットのコーナー用ベースアンカーは、パラペットの上面に固着される両側の底板と、各底板から起立する楔形の側板と、両側板の上端部間を連続し、上面に勾配を有する２つの笠木部材を接合してなるコーナー笠木を固着するための支持壁とを一体に有し、前記側板の楔形の勾配は、前記笠木部材の勾配と合致させてあり、前記支持壁は、幅方向中央において交差して谷を形成する２つの傾斜面を有し、前記コーナー笠木の前記接合部の下面に突出する稜線を前記谷に合致させ、かつ前記コーナー笠木の下面を前記２つの傾斜面で支持するものであることを特徴としている（請求項１）。
【００１６】
上記支持壁は、幅方向中央において交差して直線状の谷を形成する２つの傾斜面を有し、上面壁に勾配を有する笠木部材の４５度切断面を接合してなるコーナー笠木の前記４５度切断面接合部の下面に突出する稜線を前記谷に合致させた状態で、前記コーナー笠木の前記稜線に連なる下面を２つの傾斜面で支持するものであることが望ましい（請求項２）。
【００１７】
また、本発明に係るパラペットのコーナー部における柱取付装置は、（ａ）パラペットの上面に固着される両側の底板と、各底板から起立する楔形の側板と、両側板の上端部間を連続し、幅方向中央において交差して直線状の谷を形成する２つの傾斜面を有する支持壁とを一体に有して、パラペットのコーナー部の上面に固着されるコーナー用ベースアンカーと、（ｂ）２つの笠木部材の４５度切断面同士を接合してＬ形に形成され、その４５度切断面接合部を前記パラペットのコーナー部の上面に固着された前記コーナー用ベースアンカーの支持壁に載せて支持されるコーナー笠木と、（ｃ）前記コーナー笠木の４５度切断面接合部の上側に重ねられ、前記コーナー笠木の上面のテーパーを補正して水平な上面を提供するライナーと、（ｄ）そのライナーの上面に載せて、前記ライナー及びコーナー笠木を貫通して前記コーナー用ベースアンカーにねじ込まれるねじにより固着され、前記パラペットに設置されるフェンスのコーナー柱を接続するブラケットとからなり、（ｅ）前記コーナー用ベースアンカーの側板の楔形の勾配は、前記笠木部材の上面の勾配と合致させてあり、前記支持壁は、前記コーナー笠木の前記４５度切断面接合部の下面に突出する稜線を前記谷に合致させ、かつ前記コーナー笠木の前記稜線に連なる下面を前記２つの傾斜面に載せた状態で支持することを特徴としている（請求項３）。
【発明の効果】
【００１８】
請求項１の発明によるコーナー用ベースアンカーは、両側の底板と側板と支持壁とを一体に有する単一部材であるので、製造コストの低減が可能であり、パラペットに対する取付工数も削減される。また、側板の楔形の勾配がパラペットに設置される笠木の勾配と合致させてあるから、笠木を高い安定性をもって支持することができる。さらに、支持壁に笠木を固着するので、笠木がパラペットのコーナー部にしっかり固定される。また、支持壁は、幅方向中央において交差して谷を形成する２つの傾斜面を有し、上面壁に勾配を有する笠木部材を接合してなるコーナー笠木の接合部の下面に突出する稜線を支持壁の２つの傾斜面の交差する谷に合致させ、前記コーナー笠木の稜線に連なる下面を載せて支持することができるから、コーナー笠木を非常に安定した状態で支持することができる。
【００１９】
請求項２の発明によれば、支持壁は、幅方向中央において交差して直線状の谷を形成する２つの傾斜面を有し、上面壁に勾配を有する笠木部材の４５度切断面を接合してなるコーナー笠木の４５度切断面接合部の下面に突出する稜線を谷に合致させ、前記コーナー笠木の稜線に連なる下面を２つの傾斜面で支持することができるから、コーナー笠木をさらに安定した状態で支持することができる
【００２０】
そして、請求項３の発明によれば、コーナー用ベースアンカーによりコーナー笠木が高い安定性を持って支持され、かつ、コーナー柱が大きい強度をもって固定される。
【発明を実施するための最良の形態】
【００２１】
続いて、本発明の実施の形態について図面に基づいて説明する。図２は本発明による笠木の取付構造とフェンスのコーナー柱のと取付構造を示す分解斜視図、図３は図２の中のパラペットのコーナー部の拡大図、図４は本発明に係るコーナー用ベースアンカーを示すものであり、（ａ）は斜視図、（ｂ）は正面図である。図５は同ベースアンカーの使用状態を示す斜視図、図６はライナーを示す図であり、（ａ）は平面図、（ｂ）は（ａ）のＸ−Ｘ線断面図である。
【００２２】
本発明を実施して完成された状態におけるパラペットの外観は、図１に示すように、従来品と同一である。しかし、図２，３に示すように、本発明におけるベースアンカー４Ｎ，５Ｎ，６Ｎは、部品コスト削減のため、及び支持強度を大きくするため、剛性を有する金属板で形成された単一部材で構成されている。次に、まず、ベースアンカー４Ｎ，５Ｎ，６Ｎについて、順次説明する。
【００２３】
コーナー用ベースアンカー４Ｎは、図４に詳細に示すように、左右両側に設けてある底板４３，４３と、その底板から起立する側板４４，４４と、両側の側板の上端部の間を連続する支持壁４５とを一体に有し、正面から見るとほぼ扁平なハット形をしている。側板４４，４４は、その高さが一端から他端にかけて漸増するように傾斜して、楔形に形成されている。傾斜角度は、笠木２の傾斜角度に合致するように設定される。また、支持壁４５は、傾斜方向が異なる２つの傾斜面を有し、支持壁の上面の左右方向中央においてその２つの傾斜面が交差して直線状の谷４６が形成されている。この傾斜面の勾配は、笠木の内のコーナー笠木２ａの下面の勾配と合致されている。また、両側の底板４３，４３に、ビス等のねじを貫通するための長孔４３ｈが形成され、支持壁４５には、谷の両側部分において所定の間隔をもって複数個のねじ孔４５ｈが形成されている。
【００２４】
上記コーナー用ベースアンカー４Ｎは、図３に示すように、支持壁４４の勾配がパラペット内側に下り勾配となるように向きを設定し、かつ、支持壁４４の谷４６がパラペットのコーナー部１ｂの内外の角部を結ぶ直線上に存在するように位置づけして、底板４３，４３の長孔４３ｈからビス等（図示省略）をパラペット１にねじ込んで固定される。
【００２５】
本発明の要部ではないが、パラペットのストレート部１ｂの上面には、連結用ベースアンカー５Ｎがコーナー用ベースアンカー４Ｎから左右両側に所定距離離れた位置において、ビス等のねじ（図示省略）により固着される。この連結用ベースアンカー５Ｎは、図３に良く示されているように、金属形材を短く切断してなるベース板５１Ｎに、金属板を加工して形成された支持部材５２Ｎを溶接又は固着してなる単一部材であり、ベース板５１Ｎに設けてある長孔からねじをパラペット１ｂにねじ込んで所定位置に固定される。
【００２６】
そして、コーナー笠木２ａのコーナー部２ａｃをコーナー用ベースアンカー４Ｎの支持壁４５の上に、コーナー笠木２ａの端部２ａｅを連結用ベースアンカー５Ｎの支持部材５２Ｎの上に載せるとともに、コーナー笠木の４５度接合面をコーナー用ベースアンカー４Ｎの支持壁４５の谷４６と合致させる（図５参照）。さらに、コーナー笠木２ａのコーナー部の４５度接合線の両側に形成してあるねじ貫通孔２ａｈをコーナー用ベースアンカー４Ｎの支持壁４５のねじ孔４５ｈと合致させる。
【００２７】
続いて、図３及び図７に示すように、コーナー笠木２ａのコーナー部２ａｃの上面にライナー７を載せた後、そのライナーの上にブラケット８を重ね合わせる。
【００２８】
ライナー７は、図６に示すように、剛性を有する金属板で形成され、中央の谷７１の左右両側の板７２，７２は、コーナー笠木２ａのコーナー部２ａｃのそれぞれの勾配に対応する勾配を有して、断面楔状に形成されているとともに、蝶の羽根に類似する形状を有する。そして、左右両端縁にその勾配を打ち消して上面に水平面を形成する凸条又は突起７３，７３が形成されている。ブラケット８は、平坦な底板８１と、その底板の両側から直角に起立する好ましくは複数の側板８２とを一体に有し、底板８１に孔８１ｈが、また、側板８２にねじ孔８２ｈが形成されている。
【００２９】
ライナー７は、楔状凸条又は突起７３を有しているため、そのライナーに重ね合わされるブラケット８は、その底板８１が水平状態、側板８２が垂直状態で安定する。そして、図示されていないビスなどを底板８１の孔８１ｈからライナー７の孔７４に貫通し、さらに図５に示されているコーナー笠木２ａの孔２ａｈを貫通してコーナー用ベースアンカー４Ｎの支持壁４５のねじ孔４５ｈにねじ込むことにより、ブラケット８は、図７に示すように、側板８２が垂直を保った状態で固着される。
【００３０】
本発明においては、コーナー笠木２ａのコーナー部２ａｃの勾配を有する下面が、４５度接合面を含めてその両側部分までの比較的広い面積に渡って、コーナー用ベースアンカー４Ｎの支持壁４５の上面に面接触して支持される。しかも、コーナー用ベースアンカー４Ｎは剛性を有する金属板で形成されている。従って、コーナー笠木２ａに対する支持強度が従来技術よりも格段に向上している。
【００３１】
ブラケット８に対するフェンスのコーナー柱３１の取付は、図７に示すように、ブラケット８の側板８２をコーナー柱３１の中空部に挿入して、その内壁面に当接させた状態で、その柱の外側からビスなどＳ１を側板８２にねじ込んで堅固に固定される。本発明においては、ライナー７及びブラケット８が、コーナー用ベースアンカー４Ｎの支持壁４５に固定されているので、コーナー柱３１のパラペット１に対する取付安定性が高く、フェンス３の荷重が加わるコーナー柱３１を十分に大きな強度を持って支持することができる。従って、パラペットに取り付けられるフェンスの強度に関しては、高い信頼を得ることができる。
【図面の簡単な説明】
【００３２】
【図１】パラペットのコーナー部を中心に示す斜視図。
【図２】図１の分解斜視図。
【図３】図２のコーナー部の拡大図。
【図４】コーナー用ベースアンカーを示す図であり、（ａ）は斜視図、（ｂ）は正面図。
【図５】コーナー用ベースアンカーとコーナー笠木との位置関係を示す一部破断斜視図。
【図６】コーナー柱取付構造の一つの構成要素であるライナーを示す物であり、（ａ）は平面図、（ｂ）は（ａ）のＸ−Ｘ線断面図。
【図７】パラペットのコーナー部のコーナー笠木に対するコーナー柱の取付構造を示す分解斜視図。
【図８】従来のベースアンカーの構造を示す分解斜視図。
【符号の説明】
【００３３】
１      パラペット（駆体）
１ａ    パラペットのコーナー部
１ｂ    パラペットのストレート部
２      笠木
２ａ    コーナー笠木
２ｂ    ストレート笠木
３      フェンス
３１    コーナー柱
３２    中間柱
４，４Ｎ  コーナー用ベースアンカー
４３    底板
４４    側板
４５    支持壁
４６    谷
５Ｎ    連結用ベースアンカー
６Ｎ    中間柱取付用ベースアンカー
７      ライナー
８      ブラケット
【図１】
0005115961.tif 000002
【図２】
0005115961.tif 000003
【図３】
0005115961.tif 000004
【図４】
0005115961.tif 000005
【図５】
0005115961.tif 000006
【図６】
0005115961.tif 000007
【図７】
0005115961.tif 000008
【図８】
0005115961.tif 000009